(57)【要約】【課題】目新しい回転部分を設けるとともに、好ましくは、音を発しうるようにすることにより、岩場に潜むに魚等にも興味を抱かせて、集魚力の向上を図ることができる疑似餌を提供する【解決手段】  円孔2aを設けたメインプレート2と、このメインプレートを左右から挟むようにして重合させた１対のウィングプレート3の前記円孔該当部に、メインプレート2の円孔2aより小径の円孔3aを同心円状に設け、前記１対のウイングプレート3の円孔3aにより、回転体を左右から挾持させることにより回転可能に保持させる。【選択図】図１
2007300879.tif 000002
【特許請求の範囲】
【請求項１】
円孔を設けたメインプレートと、このメインプレートを左右から挟むようにして重合させた１対のウィングプレートの前記円孔該当部に、メインプレートの円孔より小径の円孔を同心状に設け、前記１対のウイングプレートの円孔により、回転体を左右から挾持させることにより回転可能に保持させたことを特徴とする疑似餌。
【請求項２】
回転体をメインプレートの円孔の直径とほぼ同じ長さの回転軸と、この回転軸に取り付けられたフィンとより構成し、メインプレートの円孔及び１対のウィングプレートの円孔により形成された環状の溝内に、回転軸を前記溝の直径方向に掛架して環状の溝内を回転可能に設けるとともに、この回転軸にフィンを軸支したことを特徴とする請求項１記載の疑似餌。
【請求項３】
フィンを反射板としたことを特徴とする請求項２記載の疑似餌。
【請求項４】
回転体を球体としたことを特徴とする請求項１記載の疑似餌。
【請求項５】
１対のウィングプレートを、メインプレートに着脱交換可能に取付けたことを特徴とする請求項１〜４のいずれかに記載の疑似餌。
【請求項６】
メインプレートおよびウィングプレートを、金属材料、陶磁器材料、ガラス材料、または合成樹脂材料により形成したことを特徴とする請求項１〜５のいずれかに記載の疑似餌。
【請求項７】
疑似餌の外形、模様または色彩を、対象魚の餌に擬したものとしたことを特徴とする請求項１〜６のいずれかに記載の疑似餌。                              
【請求項８】
メインプレートに捩じれ板を連結したことを特徴とする請求項１〜７のいずれかに記載の疑似餌。
【発明の詳細な説明】
【技術分野】
【０００１】
本発明は、生き餌の代わりに用いられる魚釣り用の疑似餌に係り、好ましくは岩場に潜む魚等にも興味を抱かせて、集魚力の向上を図りうる疑似餌に関する。
【背景技術】
【０００２】
従来、釣りにおいては種々の疑似餌が用いられ、その内メタルジグも多く用いられている。この疑似餌は、釣ろうとする魚の餌となる虫、小魚等の形状を模擬したり、水中での動きを再現して、淡水や海水に住む魚の求餌欲をそそるようにしている。
【０００３】
このような疑似餌としては、種々の構成が提案され実用に供されている。例えば、餌に見せかけた板状のボディーを２枚遊動自在に連結して、水中での動きに変化を持たせたものがある（例えば、特許文献１参照）。また、疑似餌を複数の部材で形成し、水中に沈む際の形態とジギング時における形態とが異なる形態にして、沈降速度を速めながら水中での動きに変化を持たせるようにしたものがある（例えば、特許文献２参照）。
【特許文献１】特開平９−８４４９４号公報
【特許文献２】特開２０００−１９７４３１号公報
【発明の開示】
【発明が解決しようとする課題】
【０００４】
しかし、疑似餌は、専ら魚から見える範囲にあることによって、その存在をアピールし、集魚が可能となるが、岩場等の影にかくれている魚の興味を惹くことは難しい。
又、従来の疑似餌における目玉は、通常は固定されており、部分的に動くものにおいても、魚に対してのアピール度が不十分であった。
【０００５】
本発明は、従来の技術が有する上記のような問題点に鑑み、従来の疑似餌とは、異なる目新しい回転部分を設けるとともに、好ましくは、音を発しうるようにすることにより、岩場に潜むに魚等にも興味を抱かせて、集魚力の向上を図ることができる疑似餌を提供することを目的としている。
【課題を解決するための手段】
【０００６】
本発明によると、上記課題は、次のようにして解決される。
（１）円孔を設けたメインプレートと、このメインプレートを左右から挟むようにして重合させた１対のウィングプレートの前記円孔該当部に、メインプレートの円孔より小径の円孔を同心状に設け、前記１対のウイングプレートの円孔により、回転体を左右から挾持させることにより回転可能に保持する。
【０００７】
（２）上記（１）項において、回転体をメインプレートの円孔の直径とほぼ同じ長さの回転軸と、この回転軸に取り付けられたフィンとより構成し、メインプレートの円孔及び１対のウィングプレートの円孔により形成された環状の溝内に、回転軸を前記溝の直径方向に掛架して環状の溝内を回転可能に設けるとともに、この回転軸にフィンを軸支する。
【０００８】
（３）上記（２）項において、フィンを反射板とする。
【０００９】
（４）上記（１）項において、回転体を球体とする。
【００１０】
（５）上記（１）〜（４）項のいずれかにおいて、１対のウィングプレートを、メインプレートに着脱交換可能に取付ける。
【００１１】
（６）上記（１）〜（５）項のいずれかにおいて、メインプレートおよびウィングプレートを、金属材料、陶磁器材料、ガラス材料、または合成樹脂材料により形成する。
【００１２】
（７）上記（１）〜（６）項のいずれかにおいて、疑似餌の外形、模様または色彩を、対象魚の餌に擬したものとする。
【００１３】
（８）上記（１）〜（７）項のいずれかにおいて、メインプレートに、捩じれ板を連結する。
【発明の効果】
【００１４】
本発明によると、次のような効果を奏することができる。
（ａ）請求項１記載の発明によると、回転体の回転とともに、この回転体が、疑似餌自体の動きに変化を与えるため、魚の興味を引き、集魚力の向上が図れる。さらに、回転体が回転する際に、回転体が円孔の周縁に当たることによって発する音により、岩場に潜む魚等にも興味を抱かせることができ、一層の集魚力の向上に資することができる。
【００１５】
（ｂ）請求項２記載の発明によると、いずれの方向からの水流に対してもフィンが回転し、魚等の興味を惹くことができ、かつフィンが回転する際に発する音も多様となり、より一層の集魚力の向上を図ることができる。
【００１６】
（ｃ）請求項３記載の発明のように、フィンが反射板となっていることにより、光の変化により魚に一層興味を抱かせることができる。
【００１７】
（ｄ）請求項４記載の発明によると、回転体を球体とすることにより、簡単な構造で多方向に回転する回転体が得られるとともに、球体として、たとえば鋼球又はガラス玉を使用することにより、錘として機能するとともに、水流により、鋼球またはガラス玉が移動し、ウィングプレートの円孔の周縁に当たることにより音を発するので岩場に潜む魚等にも効果的に興味を抱かせることができる。
【００１８】
（ｅ）請求項５記載の発明によると、１対のウィングプレートを、メインプレートに着脱交換可能としたことにより、回転体を自由に交換でき、回転体の重さや回転体の回転度合いや、音の出具合を適宜調整することができる。
【００１９】
（ｆ）請求項６記載の発明のように、メインプレートおよびウィングプレートを、金属材料、陶磁器材料、ガラス材料、合成樹脂材料により形成すると、多種多様な疑似餌を提供することができる。
【００２０】
（ｇ）請求項７記載の発明のように、メインプレートおよびウィングプレートの外形、模様または色彩を、対象魚の餌に擬することにより、対象魚の求餌欲を効果的にそそることができる。
【００２１】
（ｈ）請求項８記載の発明のように、捩じれ板を連結することにより、魚等の一層の興味をそそることができる。
【発明を実施するための最良の形態】
【００２２】
以下、本発明を実施するための最良の形態を、図面に基づいて説明する。
【００２３】
図１および図２は、それぞれ本発明の疑似餌を示す正面図および左側面図である。
図示するように、疑似餌(1)は、対象魚の餌を模擬した外形を有する前後方向を向くメインプレート(2)と、このメインプレートにおける中間前部を左右から挟む１対のウィングプレート(3)(3)とより構成されている。ウィングプレート(3)(3)は、その前後・端部それぞれ同士を、脱着可能な連結ピン(4)(5)により互いに連結することにより、メインプレート(2)に固定されている。
【００２４】
ウィングプレート(3)から外方に外れるメインプレート(2)の中間上部、前端部、中間下部および後端部には、それぞれ釣り糸を結びつける通し孔(6)と前釣針取付孔(7)、中釣針取付孔(8)、および後釣針取付孔(9)が設けられている。
上記通し孔(6)、前釣針取付孔(7)、中釣針取付孔(8)、および後釣針取付孔(9)には、図示を省略した釣り糸、前釣針、中釣針、および後釣針が、直接またはスプリットリングを介して取付けられるようになっている。
【００２５】
メインプレート(2)は、前記のように外形が対象魚の餌を模擬して、例えば対象魚が魚食魚である場合は、小魚のシルエット等の形に形成し、その外形および重さの異なる複数のものを予め用意しておき、適宜、交換して用いうるようになっている。
【００２６】
メインプレート(2)およびウィングプレート(3)は、防錆の観点から、好ましくはステンレス鋼により製作されるが、ステンレス鋼以外の、水中において毒性物質が溶出することのない金属材料、陶磁器材料、ガラス材料、合成樹脂材料により形成してもよい。
【００２７】
ステンレス鋼や合成樹脂材料等とすることにより、環境汚染への影響を低減することができる。また、合成樹脂材料を用いる場合には、自然界で分解するプラスチック等の利用も望ましい。
【００２８】
ウィングプレート(3)の表面には、対象魚が求餌欲をそそるように、塗装やコーティングにより模様や彩色を施し、また発光塗料やシールを塗布または貼附してもよい。なお、ウィングプレート(3)は、平板に限らず半紡錘形に形成し、２枚のウィングプレート(3)により魚格を形成することも好ましい。
【００２９】
ウィングプレート(3)のやや左上部には、目玉を模した回転フィン(11)の回転体が、また、ウィングプレート(3)の下部の左右には球体(12)(12)の回転体がそれぞれ設けられている。
【００３０】
これらの回転体は、メインプレート(2)に設けた円孔(2a)と、１対のウィングプレート(3)(3)におけるメインプレートの円孔(2a)該当部に、前記円孔(2a)と同心で若干小径の円孔(3a)(3a)を設け、この１対のウイングプレートの円孔(3a)(3a)により、回転体を左右から挾持することにより回転可能に保持されている。
【００３１】
すなわち、具体的には、図１のＩＩＩ−ＩＩＩ線、ＩＶ−ＩＶ線における拡大断面図である図３、図４に示す回転体の場合には、メインプレート(2)の円孔(2a)の直径とほぼ同じ長さの回転軸(11a)を、メインプレート(2)の円孔(2a)及び１対のウィングプレート(3)(3)の円孔(3a)(3a)により形成された環状の溝(2b)内に、この溝(2b)の直径方向に掛架して環状の溝(2b)内の図４に矢印Ｂで示すように、回転可能に設けるとともに、前記回転軸(11a)にフィン(11b)を軸支してある。
【００３２】
フィン(11b)は、１対の半円板状のものを回転軸(11a)の両側に溶着してある。
【００３３】
フィン(11b)は、図１、図３、図４において、それぞれ矢印Ａａ、Ａｂ、Ａｃで示すように、回転軸(11a)の回りに、回転軸(11a)と一体に回転するようになっている。
【００３４】
回転軸(11a)は、前記環状の溝(2b)内を回転可能であるため、フィン(11b)は、全方向に回転可能となっている。
【００３５】
なお、フィンは、図示のもの以外に、たとえば、円板状や球体状のフィンに、回転軸用の通孔を設けて回転軸を挿通し、この回転軸のまわりに回転するような形態にしてもよい。
【００３６】
フィン(11b)には、発光塗料やシールを塗布または貼附して反射板とすることが望ましい。
【００３７】
また、図１のＶ−Ｖ線における拡大断面図である図５に示す回転体の場合には、球体(12)が、１対のウィングプレート(3)(3)の円孔(3a)(3a)の周縁をもって左右から挾持され全方向に回転可能に保持されている。
球体(12)は、水流の変化に従い、多方向へ回転するとともに、この球体(12)が遊動することにより疑似餌の重心がズレ、そのため疑似餌が不規則な動きをとるため、一層魚に興味を抱かせることができる。
【００３８】
また球体(12)が遊動する時に、ウィングプレート(3)の円孔(3a)の周縁と干渉することで音を発生させるため、岩場の影など見えない場所にいる魚に対しても興味を惹きつけることができる。
【００３９】
さらに本実施例のように、球体(12)を複数設けると、各球体(12)が独立して回転し、一層変化のある重心移動が生じ、疑似餌の動きがさらに不規則になり、魚等にさらに一層興味を抱かせ、集魚力の向上を図ることができる。
【００４０】
球体(12)はたとえば、鋼球やビー玉等のガラス玉、天然石が良好に用いられる。
【００４１】
図６は、疑似餌(1)に捩じれ板(13)を取り付けた例を示す。
【００４２】
疑似餌(1)における後釣針取付孔(9)に、スイベル(14)を介して捩じれ板(13)を取付け、さらに捩じれ板(13)の他端にスプリットリング(15)を介して釣り針(16)が取り付けられている。
【００４３】
捩じれ板(13)は薄い帯状の金属板を捩って作成されたもので、水流の変化により不規則に回転し、捩じれ板(13)の表面で反射した光や捩じれ板(13)の回転音により岩場に潜む魚等に興味を抱かせることができる。
【図面の簡単な説明】
【００４４】
【図１】本発明の疑似餌の正面図である。
【図２】同じく、左側面図である。
【図３】図１のＩＩＩ−ＩＩＩ線における拡大断面図である。
【図４】図１のＩＶ−ＩＶ線における拡大断面図である。
【図５】図１のＶ−Ｖ線における拡大断面図である。
【図６】本発明の疑似餌にさらに捩じれ板を取り付けた正面図である。
【符号の説明】
【００４５】
(1)疑似餌
(2)メインプレート
(2a)円孔
(2b)溝
(3)ウィングプレート
(3a)円孔
(4)(5)連結ピン
(6)通し孔
(7)前釣針取付孔
(8)中釣針取付孔
(9)後釣針取付孔
(11)フィン
(11a)回転軸
(11b)フィン
(12)球体
(13)捩じり板
(14)スイベル
(15)スプリットリング
(16)釣り針
【図１】
2007300879.tif 000003
【図２】
2007300879.tif 000004
【図３】
2007300879.tif 000005
【図４】
2007300879.tif 000006
【図５】
2007300879.tif 000007
【図６】
2007300879.tif 000008